(57)【要約】      （修正有）【課題】開口部を介して携帯ユニットが挿入及び離脱される酸素濃縮装置において、開口部を介して異物が入り込むことを防ぐ。【解決手段】定置ユニット３０は、開口部４１と、収容部４０と、接続部６０と、を備えている。開口部４１は、上方側に開口している。収容部４０は、開口部４１を介して携帯ユニットの挿入が可能である。接続部６０は、収容部４０の内面に設けられ、携帯ユニットに接続される。定置ユニット３０は、開口部４１を開く開位置と、開口部４１を閉じる閉位置と、の間で変位する蓋部７０を備えている。【選択図】図８
2020171529.tif 000002
【特許請求の範囲】
【請求項１】
取り込んだ空気から酸素を濃縮して酸素濃縮気体を排出する携帯ユニットが着脱自在に取り付けられる定置型の酸素濃縮装置であって、
上方側に開口する開口部と、
前記開口部を介して前記携帯ユニットの挿入が可能な収容部と、
前記収容部の内面設けられ、前記携帯ユニットに接続される接続部と、
前記開口部を開く開位置と、前記開口部を閉じる閉位置と、の間で変位する蓋部と、
を備える
酸素濃縮装置。
【請求項２】
前記収容部は、前記開口部の下方側に底部を有し、
前記接続部は、前記底部に設けられるとともに前記携帯ユニットに電気的に接続される電気接続部を有し、
前記蓋部は、前記閉位置にあるときに、少なくとも前記電気接続部を覆う
請求項１に記載の酸素濃縮装置。
【請求項３】
前記蓋部を前記開位置から前記閉位置に向けて付勢する付勢部を備え、
前記開位置は、前記蓋部が前記収容部内に入り込んだ位置であり、
前記蓋部は、前記閉位置にあるときに、前記付勢部の付勢に抗して前記携帯ユニットによって前記収容部内へと押し込まれることにより前記閉位置から前記開位置に変位し、前記携帯ユニットが前記収容部内に収容されているときに前記開位置で維持され、前記携帯ユニットが前記収容部から離脱することに応じて前記付勢部の付勢によって前記開位置から前記閉位置に変位する
請求項１又は請求項２に記載の酸素濃縮装置。
【請求項４】
前記底部は、
前記収容部に前記携帯ユニットが収容された状態で、前記携帯ユニットを下方側から支持する支持部と、
前記支持部の周囲の少なくとも一部に配されている溝部と、を有する
請求項１から請求項３のいずれか一項に記載の酸素濃縮装置。
【請求項５】
前記溝部よりも下方側に配置され、前記収容部内に流れ込んだ液体を前記溝部を介して回収するタンクを備える
請求項４に記載の酸素濃縮装置。
【請求項６】
前記蓋部は、
前記開口部の開口領域における一部領域を開閉する第１蓋部と、
前記開口領域における前記第１蓋部が閉じる領域を外れた領域を少なくとも開閉する第２蓋部と、
を有する
請求項１から請求項５のいずれか一項に記載の酸素濃縮装置。
【請求項７】
前記第１蓋部は、第１開位置と第１閉位置との間で変位し、
前記第２蓋部は、第２開位置と第２閉位置との間で変位し、
前記第１蓋部は、前記第１閉位置にあるときに、上面が上下方向に対して傾斜した所定の傾斜方向に沿うように配置され、
前記第２蓋部は、前記第２閉位置にあるときに、上面が前記傾斜方向に沿うように配置され、
前記第１蓋部が前記第１閉位置にあり且つ前記第２蓋部が前記第２閉位置にあるときに、前記第２蓋部が前記第１蓋部に対して下方側から重なる
請求項６に記載の酸素濃縮装置。
【発明の詳細な説明】
【技術分野】
【０００１】
本発明は、酸素濃縮装置に関するものである。
【背景技術】
【０００２】
特許文献１の酸素濃縮装置は、定置ユニットと、定置ユニットに分離可能に結合する携帯ユニットと、を備えている。定置ユニットは、携帯ユニットが収容される携帯連結部が設けられている。携帯連結部は、上端側が開口した形状である。携帯ユニットは、開口を介して携帯連結部に収容されることで、定置ユニットと電気的に接続されるとともに、定置ユニットからの濃縮酸素の供給ルートが形成されるようになっている。
【先行技術文献】
【特許文献】
【０００３】
【特許文献１】特許第４５０４９０３号公報
【発明の概要】
【発明が解決しようとする課題】
【０００４】
特許文献１の定置ユニットの携帯連結部は、上端側に開口部が設けられているため、この開口部を介して内部に異物が入り込むことが懸念される。例えば、携帯ユニットが収容されていない離脱状態では、携帯連結部の上端側が開放し、内部を覆う部品が存在しなくなるため、開口部の上方から異物（液体など）を落下させてしてしまうと、その異物が開口部を介して携帯連結部内に入り込んでしまう。このように携帯連結部内に異物が入り込むと、携帯連結部内に設けられた接続部（携帯ユニットとの接続部分）に付着し、不具合を招く虞がある。
【０００５】
本発明は、上述した課題の少なくとも一部を解決するためになされたものであり、開口部を介して携帯ユニットが挿入及び離脱される酸素濃縮装置において、開口部を介して異物が入り込むことを防ぎ得る構成を実現することを目的とする。
【課題を解決するための手段】
【０００６】
本発明の一つの解決手段である酸素濃縮装置は、
取り込んだ空気から酸素を濃縮して酸素濃縮気体を排出する携帯ユニットが着脱自在に取り付けられる定置型の酸素濃縮装置であって、
上方側に開口する開口部と、
前記開口部を介して前記携帯ユニットの挿入が可能な収容部と、
前記収容部の内面に設けられ、前記携帯ユニットに接続される接続部と、
前記開口部を開く開位置と、前記開口部を閉じる閉位置と、の間で変位する蓋部と、
を備える。
【０００７】
上記の酸素濃縮装置では、蓋部が開位置とされるときに、携帯ユニットを収容部に挿入可能又は収容部から離脱可能となる。つまり、携帯ユニットを収容部内に配置して安定的に合体させた状態と、携帯ユニットを収容部から離脱させて自由度高く分離させた状態とに切り替えることが可能となり、利便性が増す。しかも、蓋部が閉位置に切り替えられれば、開口部が閉じられるため、接続部（携帯ユニットに接続される部分）が設けられる重要性の高い収容部内に異物が入り込むことを効果的に防ぐことができる。
【０００８】
上記の酸素濃縮装置において、収容部は、開口部の下方側に底部を有してもよい。接続部は、前記底部に設けられるとともに前記携帯ユニットに電気的に接続される電気接続部を有してもよい。蓋部は、閉位置にあるときに、少なくとも電気接続部を覆ってもよい。
この酸素濃縮装置は、蓋部が閉位置にあるときに蓋部が電気接続部を覆うため、開口部の上方側から落下してきた異物が収容部内に入り込んで電気接続部に直接的に当たったり、電気接続部付近に滞留したりするような事態を防ぐことができる。よって、異物に起因する電気接続部の不具合（例えば、接触不良など）が、より生じにくくなる。
【０００９】
上記の酸素濃縮装置は、蓋部を開位置から閉位置に向けて付勢する付勢部を備えてもよい。開位置は、蓋部が収容部内に入り込んだ位置であってもよい。蓋部は、閉位置にあるときに、付勢部の付勢に抗して携帯ユニットによって収容部内へと押し込まれることにより閉位置から開位置に変位し、携帯ユニットが収容部内に収容されているときに開位置で維持され、携帯ユニットが収容部から離脱することに応じて付勢部の付勢によって開位置から閉位置に変位してもよい。
このように構成された酸素濃縮装置によれば、ユーザは、携帯ユニットを離脱させる際に蓋部に対して複雑な操作を行わなくても容易に蓋部を閉じることができる。また、離脱中の携帯ユニットを収容部に収容する際には、ユーザは、携帯ユニットの自重を利用して閉位置にある蓋部を収容部内に押し込むように操作すればよく、この操作により、蓋部を容易に開位置に切り替えて携帯ユニットを収容部内に挿入することができる。
【００１０】
上記の酸素濃縮装置において、底部は、収容部に携帯ユニットが収容された状態で、携帯ユニットを下方側から支持する支持部と、支持部の周囲の少なくとも一部に配されている溝部と、を有してもよい。
このように構成された酸素濃縮装置は、仮に収容部内に液体が入り込んだとしても、この液体を溝部に逃がすことができる。しかも、溝部は、携帯ユニットを支持する支持部の周囲の少なくとも一部に配されているため、仮に支持部上に液体が流れ込んだとしても、その液体は支持部よりも低い位置にある溝部内に逃げやすくなる。よって、支持部上に液体が滞留し続けることを抑制することができ、支持部上に液体が滞留し続けることに起因する不具合を生じにくくすることができる。
【００１１】
上記の酸素濃縮装置において、溝部よりも下方側に配置され、前記収容部内に流れ込んだ液体を前記溝部を介して回収するタンクを備えてもよい。
この酸素濃縮装置では、溝部に流れ込んだ液体をタンクに導いて貯留させることができる。よって、溝部の許容量を超える液体が流れ込んだとしても、その一部又は全部をタンクに導くことで溝部からの液体の溢れを抑えることができる。また、液体がタンクに貯留されるため、収容部に流れ込んだ液体を回収しやすくなる。
【００１２】
上記酸素濃縮装置において、蓋部は、開口部の開口領域における一部領域を開閉する第１蓋部と、開口領域における第１蓋部が閉じる領域を外れた領域を少なくとも開閉する第２蓋部と、を有してもよい。
この酸素濃縮装置は、少なくとも２つの蓋部（第１蓋部及び第２蓋部）によって開口部を開閉する構成であるため、１つの蓋部のみによって開口部の全範囲をカバーするような構成と比べて、各蓋部のサイズを低減することができる。よって、蓋部に加わる負荷を低減することができ、強度面で有利になる。
【００１３】
上記の酸素濃縮装置において、第１蓋部は、第１開位置と第１閉位置との間で変位してもよい。第２蓋部は、第２開位置と第２閉位置との間で変位してもよい。第１蓋部は、第１閉位置にあるときに、上面が上下方向に対して傾斜した所定の傾斜方向に沿うように配置され、第２蓋部は、第２閉位置にあるときに、上面が傾斜方向に沿うように配置されてもよい。第１蓋部が第１閉位置にあり且つ第２蓋部が第２閉位置にあるときに、第２蓋部が第１蓋部に対して下方側から重なるようになっていてもよい。
この酸素濃縮装置は、少なくとも２つの蓋部（第１蓋部及び第２蓋部）によって開口部を開閉する構成のものにおいて、異物が入り込むことを防止する効果を一層高めることができる。具体的には、第１蓋部及び第２蓋部のいずれもが、開口部を閉じた状態で所定の傾斜方向に沿うように配置されるため、閉位置にある蓋部上に異物が落下した場合に、第１蓋部の上面においても、第２蓋部の上面においても、異物を傾斜方向下側へ導くことができる。更に、第１蓋部が第１閉位置にあり且つ第２蓋部が第２閉位置にあるときには、第２蓋部が第１蓋部に対して下方側から重なるようになっている。このような構成であるため、第１蓋部の上面から第２蓋部の上面へと異物が移動する際に、異物が第１蓋部と第２蓋部の間の隙間を介して収容部内へ入り込むことを防ぐことができる。
【図面の簡単な説明】
【００１４】
【図１】第１実施形態の酸素濃縮装置の斜視図である。
【図２】図１の携帯ユニットが定置ユニットから離脱した状態を示す斜視図である。
【図３】図１の定置ユニットの横断面を示す斜視図である。
【図４】図１の定置ユニットの側断面を示す斜視図である。
【図５】図４の収容部の底部周辺を拡大して示す拡大図である。
【図６】図１の定置ユニットにおいて蓋部が閉位置にあるときの側断面図である。
【図７】図１の定置ユニットにおいて蓋部が開位置にあるときの側断面図である。
【図８】図１の定置ユニットにおいて蓋部が閉位置にあるときの斜視図である。
【図９】図１の携帯ユニットが定置ユニットに装着された状態を示す斜視図である。
【図１０】第２実施形態の定置ユニットの斜視図である。
【図１１】図１０の携帯ユニットが定置ユニットに装着された状態を示す斜視図である。
【図１２】図１０の定置ユニットの側断面を示す斜視図である。
【図１３】図１０の定置ユニットにおいて開口部が閉じられた状態を示す側断面図である。
【図１４】図１０の定置ユニットにおいて開口部が開かれた状態を示す側断面図である。
【図１５】第３実施形態の定置ユニットの斜視図である。
【図１６】第４実施形態の定置ユニットにおいて蓋部の開閉を説明する側断面図である。
【発明を実施するための形態】
【００１５】
Ａ．第１実施形態
Ａ１．酸素濃縮装置の概略
図１に示す第１実施形態の酸素濃縮装置１０は、外部から取り込んだ空気から酸素を濃縮して酸素濃縮気体を排出する装置である。酸素濃縮装置１０から排出された濃縮酸素は、例えば図示しないカニューラを介して患者に供給される。酸素濃縮装置１０は、図１，２に示すように、携帯ユニット２０と、定置ユニット３０と、を備えている。携帯ユニット２０は、定置ユニット３０から離脱した状態で、外部から取り込んだ空気から酸素を濃縮して酸素濃縮気体を排出し得る構成である。なお、以下では、図１の紙面上下方向を酸素濃縮装置１０に対する上下方向として説明する。また、図１の紙面前後方向を酸素濃縮装置１０に対する前後方向として説明する。また、図１の紙面左右方向を酸素濃縮装置１０に対する左右方向として説明する。
【００１６】
Ａ２．携帯ユニットの構成
携帯ユニット２０は、携帯型の酸素濃縮装置であり、例えば自身の内部に設けられた電池を駆動源として駆動する。携帯ユニット２０は、取り込んだ空気から酸素を濃縮して酸素濃縮気体を排出する機能を有する。携帯ユニット２０は、定置ユニット３０に対し装着及び離脱し得る構成となっている。携帯ユニット２０には、図２に示すように、把持部２４が設けられている。把持部２４は、携帯ユニット２０の上端部に設けられ、左右方向の両縁部に架け渡されるように形成されている。
【００１７】
Ａ３．定置ユニットの構成
定置ユニット３０は、定置型の酸素濃縮装置であり、例えば商用電源を駆動源として駆動する。定置ユニット３０は、取り込んだ空気から酸素を濃縮して、自身に装着された携帯ユニット２０に対して酸素濃縮気体を供給する機能を有する。携帯ユニット２０は、定置ユニット３０から供給された酸素濃縮気体を排出する。
【００１８】
定置ユニット３０は、図１に示すように、ケース３１を備えている。本実施形態では、ケース３１は、直方体形状であり、酸素濃縮気体を生成するために用いられる各種部品が内部に収容されている。ケース３１には、図３〜５に示すように、収容部４０が形成されている。収容部４０は、ケース３１の上端側から下方に凹む凹形状であり、上方側に開口する開口部４１を有している。収容部４０は、開口部４１を介して携帯ユニット２０が挿入される。開口部４１は、上下方向に対して傾斜した所定の傾斜方向（図６の矢印方向）に沿うように形成されている。すなわち、開口部４１の開口領域が、後方側から前方側に向かって下方に傾くように傾斜している。本実施形態では、開口部４１は、角部が丸みを帯びた長方形状である。収容部４０は、底部４２と、側部４３と、を備えている。本実施形態では、底部４２は、角が丸みを帯びた長方形状である。底部４２は、開口部４１の下方側に位置している。側部４３は、底部４２の外縁から立ち上がる筒状である。側部４３の上端は、開口部４１として構成されている。
【００１９】
底部４２は、図５に示すように、支持部４４と、溝部４５と、を備えている。支持部４４は、底部４２の中央側に設けられている。支持部４４は、収容部４０に携帯ユニット２０が収容された状態で、携帯ユニット２０を下方側から支持する。支持部４４は、上面が平坦な支持面４６として構成されている。支持面４６は、図１１に示すように、収容部４０に携帯ユニット２０が収容された状態で、携帯ユニット２０の底面２１と接触する。
【００２０】
溝部４５は、図５に示すように、支持部４４の周囲に配されている。溝部４５は、支持部４４における支持面４６よりも下方側に凹んでいる。溝部４５は、支持面４６の周囲に配されている。溝部４５は、周方向全体に亘り一定の高さとなるように環状に形成されている。溝部４５の外縁は、側部４３の下端に連なっている。
【００２１】
ケース３１内には、図５に示すように、タンク５０と、流路５２と、を備えている。タンク５０は、液体を貯留可能な容器であり、本実施形態では、直方体形状になっている。タンク５０は、溝部４５よりも下方側において、ケース３１から着脱自在に配置されている。タンク５０は、左右方向の中央付近に配置されている。タンク５０は、収容部４０内に流れ込んだ液体を溝部４５を介して回収する。流路５２は、溝部４５内の液体をタンク５０に流すように機能する管である。流路５２の一端は、溝部４５に下方側からつながっている。流路５２の他端は、タンク５０に上方側からつながっている。
【００２２】
収容部４０の内面には、図５に示すように、接続部６０が設けられている。接続部６０は、配管接続部６１と、電気接続部６２と、を備えている。配管接続部６１及び電気接続部６２は、底部４２の支持部４４に設けられている。配管接続部６１及び電気接続部６２は、溝部４５の内側に配されている。配管接続部６１は、例えば、管状の継手として構成されている。配管接続部６１は、自身の内側に供給口（図示略）が設けられている。配管接続部６１は、図９に示すように、収容部４０に携帯ユニット２０が収容された状態で、携帯ユニット２０の第１接続部２２（図２参照）に接続される。第１接続部２２は、例えば、管状の継手として構成されている。第１接続部２２は、自身の内側に導入口（図示略）が設けられている。配管接続部６１と第１接続部２２とが接続されると、配管接続部６１の供給口と、第１接続部２２の導入口とが連通した状態となる。これにより、携帯ユニット２０は、配管接続部６１を介して定置ユニット３０から供給される酸素濃縮気体を取り込むことができる。
【００２３】
図５に示す電気接続部６２は、携帯ユニット２０に電気的に接続される部分である。電気接続部６２は、例えば、コネクタとして構成されている。電気接続部６２は、図９に示すように、収容部４０に携帯ユニット２０が収容された状態で、携帯ユニット２０の第２接続部２３に接続される。第２接続部２３は、例えば、コネクタとして構成されている。電気接続部６２と第２接続部２３とが接続されると、携帯ユニット２０と定置ユニット３０とが電気的に接続される。
【００２４】
ケース３１には、図８に示すように、蓋部７０が設けられている。蓋部７０は、開口部４１に対応する形状であり、角部が丸みを帯びた長方形の板状である。蓋部７０は、上縁がヒンジ３２を介して開口部４１の後端側の縁に連結されている。蓋部７０は、開口部４１を開く開位置（図７参照）と、開口部４１を閉じる閉位置（図６参照）と、の間で、ヒンジ３２を中心として回動変位する。ヒンジ３２には、図示しない付勢部が設けられている。付勢部は、例えば、ねじりばねとして構成され、蓋部７０を開位置から閉位置に向けて付勢している。蓋部７０は、ヒンジ３２による規制によって、下縁（ヒンジ３２とは反対側の縁）が開口部４１よりも上方側に上がらないようになっている。蓋部７０は、閉位置にあるときに、上面が上下方向に対して傾斜した傾斜方向（図６の矢印参照）に沿うように配置されている。蓋部７０が閉位置にあるときに、蓋部７０と開口部４１との間にわずかなすき間が生じている。蓋部７０は、閉位置にあるときに、接続部６０（配管接続部６１及び電気接続部６２）を覆う。一方で、蓋部７０は、開位置にあるときに、下縁が開口部４１よりも下方に位置し、収容部４０内に入り込んだ状態となる。
【００２５】
蓋部７０は、閉位置にあるときに、携帯ユニット２０によって収容部４０内へと押し込まれることにより閉位置から開位置に変位する。このように、携帯ユニット２０の自重を利用して蓋部７０を押し込むことで、蓋部７０を別途操作することなく閉位置から開位置に変位させることができる。そして、蓋部７０は、図７，９に示すように、携帯ユニット２０が収容部４０内に収容されているときに開位置で維持される。さらに、蓋部７０は、携帯ユニット２０が収容部４０から離脱することに応じて付勢部の付勢によって開位置から閉位置に変位する。このように、収容部４０に対する携帯ユニット２０の挿入及び離脱を行うことによって、蓋部７０を別途操作することなく開口部４１を開閉させることができる。
【００２６】
携帯ユニット２０を収容部４０から離脱させた状態において、蓋部７０によって、開口部４１を介して収容部４０内に異物が入り込むことを防ぐことができる。これにより、携帯ユニット２０に接続される接続部６０に異物が付着することを防ぐことができる。特に、蓋部７０によって、電気接続部６２に異物（例えば、液体）が直接接触することを防ぐことができるため、電気接続部６２と、携帯ユニット２０の第２接続部２３との電気的な接続不良が生じることを防ぐことができる。
【００２７】
ケース３１には、図８に示すように、把持部３３が設けられている。把持部３３は、ケース３１の上端部において、左右方向の両縁部に架け渡されるように形成されている。把持部３３は、アーチ状をなすように緩やかに湾曲している。把持部３３の前端部側は、開口部４１から立ち上がるように形成されている。
【００２８】
Ａ４．効果
上述した定置ユニット３０（定置型の酸素濃縮装置）では、蓋部７０が開位置とされるときに、携帯ユニット２０を収容部４０に挿入可能又は収容部４０から離脱可能となる。つまり、携帯ユニット２０を収容部４０内に配置して安定的に合体させた状態と、携帯ユニット２０を収容部４０から離脱させて自由度高く分離させた状態とに切り替えることが可能となり、利便性が増す。しかも、蓋部７０が閉位置に切り替えられれば、開口部４１が閉じられるため、接続部６０（携帯ユニット２０に接続される部分）が設けられる重要性の高い収容部４０内に異物が入り込むことを効果的に防ぐことができる。特に、電気接続部６２に異物が接触することを防ぐことができるため、電気接続部６２と携帯ユニット２０の第２接続部２３との間で異物に起因する電気的な接続不良が生じることを防ぐことができる。
【００２９】
また、上述の定置ユニット３０は、付勢部の付勢によって蓋部７０が自動的に閉位置に変位し得る構成であるため、ユーザは、携帯ユニット２０を離脱させる際に蓋部７０に対して複雑な操作を行わなくても容易に蓋部７０を閉じることができる。更に、離脱中の携帯ユニット２０を収容部４０に収容する際には、ユーザは、携帯ユニット２０の自重を利用して閉位置にある蓋部７０を収容部４０内に押し込むように操作すればよく、この操作により、蓋部７０を容易に開位置に切り替えて携帯ユニット２０を収容部４０内に容易に挿入することができる。
【００３０】
また、上述の定置ユニット３０は、仮に収容部４０内に液体が入り込んだとしても、この液体を溝部４５に逃がすことができる。しかも、溝部４５は、携帯ユニット２０を支持する支持面４６よりも下方側に凹むように配されているため、仮に支持面４６上に液体が流れ込んだとしても、その液体は支持面４６よりも低い位置にある溝部４５内に逃げやすくなる。よって、支持面４６上に液体が滞留し続けることを抑制することができ、支持面４６上に液体が滞留し続けることに起因する不具合（例えば、支持面４６上に滞留した液体に起因する電気的な接続不良など）を生じにくくすることができる。
【００３１】
また、上述の定置ユニット３０では、溝部４５に流れ込んだ液体をタンク５０に導いて貯留させることができる。よって、溝部４５の許容量を超える液体が流れ込んだとしても、その一部又は全部をタンク５０に導くことで溝部４５からの液体の溢れを抑えることができる。また、液体がタンク５０に貯留されるため、収容部４０に流れ込んだ液体を回収しやすくなる。単純に溝部４５の深さを大きくすると、収容部４０内に配置される部品と干渉する虞がある。また、単純に溝部４５の幅を大きくすると、支持面４６の面積が小さくなり、携帯ユニット２０を安定して支持できなくなる虞がある。そこで、タンク５０を設け、溝部４５から液体を回収することで、これらの懸念が生じにくくなる。
【００３２】
Ｂ．第２実施形態
Ｂ１．酸素濃縮装置の概略
本発明の第２実施形態に係る酸素濃縮装置２１０について、図１０〜１４を参照しながら説明する。第２実施形態の酸素濃縮装置２１０は、定置ユニットの蓋部の構成が主に第１実施形態の酸素濃縮装置１０と異なっている。したがって、第１実施形態と同一の部分については第１実施形態と同一の符号を付し、詳細な説明は省略する。
【００３３】
酸素濃縮装置２１０は、図１１に示すように、携帯ユニット２０と、定置ユニット２３０と、を備えている。携帯ユニット２０は、定置ユニット２３０に対し装着及び離脱し得る構成となっている。
【００３４】
Ｂ２．定置ユニットの構成
定置ユニット２３０は、図１０に示すように、蓋部２７０を備えている。蓋部２７０は、第１蓋部２８０と、第２蓋部２９０と、を備えている。第１蓋部２８０は、開口部４１の開口領域ＡＲにおける一部領域（第１開口領域ＡＲ１）を開閉する。第２蓋部２９０は、開口領域ＡＲにおける第１蓋部２８０が閉じる領域（第１開口領域ＡＲ１）を外れた領域（第２開口領域ＡＲ２）を開閉する。ここで、開口部４１の開口領域ＡＲは、図１０に示すように、後端側の第１開口領域ＡＲ１と、前端側の第２開口領域ＡＲ２とによって構成されている。
【００３５】
第１蓋部２８０は、第１開口領域ＡＲ１に対応する形状を有する板状である。第１蓋部２８０は、ヒンジ２３２を介して開口部４１の縁においてケース３１と連結されている。第１蓋部２８０は、第１開位置（図１４参照）と第１閉位置（図１３参照）との間で、ヒンジ２３２を中心として回動変位する。ヒンジ２３２には、図示しない付勢部が設けられている。付勢部は、例えば、ねじりばねとして構成され、第１蓋部２８０を第１開位置から第１閉位置に向けて付勢している。第１蓋部２８０は、ヒンジ２３２による規制によって、下縁２８１が開口部４１よりも上方側に上がらないようになっている。第１蓋部２８０は、第１閉位置にあるときに、上面が上下方向に対して傾斜した所定の傾斜方向（図１３の矢印方向）に沿うように配置されている。第１蓋部２８０は、第１開位置にあるときに、下縁２８１が開口部４１よりも下方に位置し、収容部４０内に入り込んだ状態となる。
【００３６】
第２蓋部２９０は、第２開口領域ＡＲ２に対応する形状を有する板状である。第２蓋部２９０は、下縁がヒンジ２３５を介して開口部４１の縁においてケース３１と連結されている。第２蓋部２９０は、第２開位置（図１４参照）と第２閉位置（図１３参照）との間で、ヒンジ２３５を中心として回動変位する。ヒンジ２３５には、図示しない付勢部が設けられている。付勢部は、例えば、ねじりばねとして構成され、第２蓋部２９０を第２開位置から第２閉位置に向けて付勢している。第２蓋部２９０は、ヒンジ２３５による規制によって、上縁２９１が開口部４１よりも上方側に上がらないようになっている。第２蓋部２９０は、第２閉位置にあるときに、上面が上下方向に対して傾斜した所定の傾斜方向（図１３の矢印方向）に沿うように配置されている。第２蓋部２９０は、第２開位置にあるときに、上縁２９１が開口部４１よりも下方に位置し、収容部４０内に入り込んだ状態となる。
【００３７】
図１２，１３に示すように、第１蓋部２８０が第１閉位置にあり且つ第２蓋部２９０が第２閉位置にあるときに、第２蓋部２９０が第１蓋部２８０に対して下方側から重なっている。具体的には、第２閉位置にあるときの第２蓋部２９０の上縁２９１が、第１閉位置にあるときの第１蓋部２８０の下縁２８１に対して下方側から重なっている。図１０に示すように、第１蓋部２８０が第１閉位置にあり、第２蓋部２９０が第２閉位置にあるときに、第１蓋部２８０及び第２蓋部２９０は、接続部６０（配管接続部６１及び電気接続部６２）を覆う。
【００３８】
第１蓋部２８０は、第１閉位置にあるときに、携帯ユニット２０によって収容部４０内へと押し込まれることにより第１閉位置から第１開位置に変位する。第２蓋部２９０は、第２閉位置にあるときに、携帯ユニット２０によって収容部４０内へと押し込まれることにより第２閉位置から第２開位置に変位する。そして、第１蓋部２８０は、図１１，１４示すように、携帯ユニット２０が収容部４０内に収容されているときに第１開位置で維持される。第２蓋部２９０は、携帯ユニット２０が収容部４０内に収容されているときに第２開位置で維持される。さらに、第１蓋部２８０は、携帯ユニット２０が収容部４０から離脱することに応じて付勢部の付勢によって第１開位置から第１閉位置に変位する。第２蓋部２９０は、携帯ユニット２０が収容部４０から離脱することに応じて付勢部の付勢によって第２開位置から第２閉位置に変位する。
【００３９】
Ｂ３．効果
第２実施形態の定置ユニット２３０は、２つの蓋部（第１蓋部２８０及び第２蓋部２９０）によって開口部４１を開閉する構成であるため、１つの蓋部のみによって開口部４１の全範囲をカバーするような構成と比べて、各蓋部のサイズを低減することができる。よって、蓋部に加わる負荷を低減することができ、強度面で有利になる。また、１つの蓋部のみによって開口部４１を開閉する構成と比べて、各蓋部２８０，２９０を操作する操作量を低減させることができ、開口部４１の開閉操作が行い易くなる。
【００４０】
また、第１蓋部２８０は、第１閉位置にあるときに自身の上面が上下方向に対して傾斜した所定の傾斜方向（図１３の矢印方向）に沿うように配置され、第２蓋部２９０は、第２閉位置にあるときに自身の上面が上記傾斜方向に沿うように配置される。そして、第１蓋部２８０が第１閉位置にあり且つ第２蓋部２９０が第２閉位置にあるときに、上記傾斜方向において第１蓋部２８０の下側に第２蓋部２９０が配置され、且つ、第２蓋部２９０の上縁が第１蓋部２８０の下縁に対して下方側から重なるようになっている。この定置ユニット２３０は、第１蓋部２８０及び第２蓋部２９０のいずれもが、開口部４１を閉じた状態で上記傾斜方向（図１３の矢印方向）に沿うように配置されるため、閉位置にある蓋部上に異物が落下した場合に、第１蓋部２８０の上面においても、第２蓋部２９０の上面においても、異物を傾斜方向下側へ導くことができる。更に、第１蓋部２８０が第１閉位置にあり且つ第２蓋部２９０が第２閉位置にあるときには、傾斜方向下側に配される第２蓋部２９０の上縁が、傾斜方向上側に配される第１蓋部２８０の下縁に対して下方側から重なるようになっている。このような構成であるため、第１蓋部２８０の上面から第２蓋部２９０の上面へと異物が移動する際に、異物が第１蓋部２８０と第２蓋部２９０の間の隙間を介して収容部４０内へ入り込むことを防ぐことができる。
【００４１】
Ｃ．第３実施形態
Ｃ１．酸素濃縮装置の構成
本発明の第３実施形態に係る酸素濃縮装置について、図１５を参照しながら説明する。第３実施形態の酸素濃縮装置は、定置ユニットの蓋部の構成が主に第１実施形態の酸素濃縮装置１０と異なっている。したがって、第１実施形態と同一の部分については第１実施形態と同一の符号を付し、詳細な説明は省略する。
【００４２】
第３実施形態の定置ユニット３３０は、図１５に示すように、蓋部３７０を備えている。蓋部３７０は、上面において下面側に凹む蓋溝部３７１が設けられている。蓋溝部３７１は、蓋部３７０の上縁から下縁にかけて、左右方向の幅が徐々に狭くなるように形成されている。このような構成によって、蓋部３７０の上面を流下する液体を、蓋溝部３７１によって左右方向の中央側に集めることができ、仮に液体が収容部４０内まで伝ってきたとしても、タンク５０に向かわせることができる。
【００４３】
Ｄ．第４実施形態
Ｄ１．酸素濃縮装置の構成
本発明の第４実施形態に係る酸素濃縮装置について、図１６を参照しながら説明する。第４実施形態の酸素濃縮装置は、定置ユニットの蓋部の構成が主に第１実施形態の酸素濃縮装置１０と異なっている。したがって、第１実施形態と同一の部分については第１実施形態と同一の符号を付し、詳細な説明は省略する。
【００４４】
第４実施形態の定置ユニット４３０は、図１６に示すように、蓋部４７０を備えている。蓋部４７０は、蓋部４７０は、開口部４１を開く開位置（図１６の２点鎖線を参照）と、開口部４１を閉じる閉位置（図１６の実線を参照）と、の間で、ヒンジ３２を中心として回動変位する。蓋部４７０は、開位置で、ヒンジ３２から上方に起立した状態となる。蓋部４７０は、ヒンジ３２による規制によって、上方に起立した状態から後方へと傾かないようになっている。ヒンジ３２には、付勢部が設けられていない。
【００４５】
蓋部４７０の下縁４７１は、閉位置にあるときに、収容部４０の前側の上端４７に、上方側から接触している。蓋部４７０は、閉位置にあるときに、上面が上下方向に対して傾斜した所定の傾斜方向（図１６の直線状の矢印方向）に沿うように配置されている。このような構成によって、蓋部４７０の上面で前方側に誘導される異物を、ケース３１の前方側へと落下させ易くなる。
【００４６】
Ｅ．他の実施形態
本発明は上記記述及び図面によって説明した実施形態に限定されるものではなく、例えば次のような例も本発明の技術的範囲に含まれる。
【００４７】
第１〜４実施形態の説明では、蓋部は、開口部の全体を覆う構成であったが、開口部の一部を覆う構成であってもよい。例えば、蓋部は、配管接続部６１及び電気接続部６２の少なくとも一方のみを覆う構成であってもよい。
【００４８】
第１〜４実施形態の説明では、蓋部は、左右方向に沿う回動軸周りに回動する構成であったが、開口部４１の左右方向の縁に連結されて左右方向以外の方向に沿う回動軸周りに回動する構成であってもよい。
【００４９】
第１実施形態の説明では、溝部４５が、支持面４６の周囲に配されていたが、支持面４６の周囲の一部に配されていてもよい。
【００５０】
第１実施形態の説明では、溝部４５が、周方向全体に亘り一定の高さとなるように環状に形成されていたが、後方側から前方側に向かって下方に傾く形状であってもよい。
【００５１】
第１実施形態の説明では、タンク５０は、溝部４５よりも下方側に配置されていたが、一部が溝部４５よりも下方側に配置されていてもよい。
【００５２】
第１実施形態の説明では、溝部４５とタンク５０との間に流路５２が設けられていたが、流路５２を設けず、溝部４５とタンク５０とが直接接続される構成であってもよい。例えば、溝部４５に形成された開口部が、タンク５０に接続されていてもよい。
【００５３】
第１実施形態の説明では、携帯ユニット２０は、配管接続部６１を介して定置ユニット３０から供給される酸素濃縮気体を取り込む構成であったが、配管接続部６１を設けず、収容部４０の外側においてチューブなどを介して携帯ユニット２０が定置ユニット３０からから酸素濃縮気体を取り込む構成であってもよい。
【００５４】
第２実施形態の説明では、開口部４１の開口領域ＡＲは、図１０に示すように、上端側の第１開口領域ＡＲ１と、下端側の第２開口領域ＡＲ２とによって構成されていたが、開口領域ＡＲの分割の仕方はこれに限定されない。例えば、開口領域ＡＲは、左右方向で第１開口領域ＡＲ１と第２開口領域ＡＲ２とが分割されていてもよい。
【００５５】
第２実施形態の説明では、蓋部２７０は、第１蓋部２８０と、第２蓋部２９０と、を備えていたが、３つ以上の数の蓋部によって構成されていてもよい。
【符号の説明】
【００５６】
１０，２１０…酸素濃縮装置
２０…携帯ユニット
３０，２３０，３３０，４３０…定置ユニット（定置型の酸素濃縮装置）
４０…収容部
４１…開口部
４２…底部
４４…支持部
４５…溝部
５０…タンク
６０…接続部
６１…配管接続部
６２…電気接続部
７０，２７０，３７０，４７０…蓋部
２８０…第１蓋部
２９０…第２蓋部
ＡＲ…開口領域
ＡＲ１…第１開口領域
ＡＲ２…第２開口領域
【図１】
2020171529.tif 000003
【図２】
2020171529.tif 000004
【図３】
2020171529.tif 000005
【図４】
2020171529.tif 000006
【図５】
2020171529.tif 000007
【図６】
2020171529.tif 000008
【図７】
2020171529.tif 000009
【図８】
2020171529.tif 000010
【図９】
2020171529.tif 000011
【図１０】
2020171529.tif 000012
【図１１】
2020171529.tif 000013
【図１２】
2020171529.tif 000014
【図１３】
2020171529.tif 000015
【図１４】
2020171529.tif 000016
【図１５】
2020171529.tif 000017
【図１６】
2020171529.tif 000018